(57)【特許請求の範囲】
【請求項１】
モニター及び／これに関連する各種の機器を設置するためのシステムレールであって、
上下両側部に溝を有し、前記モニター及び／又はこれに関連する各種の機器を設置するための設置面に、取付部材を介して取り付け固定されるレールと、
上下いずれか一方の側部に突状に形成され、前記レールの一方の溝に係止可能な固定爪と、他方の側部に出没可能に配設され、前記レールの他方の溝に係脱可能な可動爪と、前記可動爪に当該可動爪を前記他方の側部から突出させる方向に押圧可能な手段、及び当該可動爪の前記他方の側部からの突出状態をロック可能な手段を介して作動連結され、前記可動爪を前記他方の側部から出没操作するための操作レバーとを有し、前記レール上に着脱可能に取り付けられる取付ベースとを備え、
前記設置面に前記レールを固定し、
前記モニター及び／又はこれに関連する各種の機器に前記取付ベースを固着して、前記モニター及び／又はこれに関連する各種の機器を当該取付ベースを介して前記レールに取り付ける、
ことを特徴とするシステムレール。
【請求項２】
取付ベースは全体がケース状に構成されて、固定爪は前記取付ベースの上面又は下面に一体的に形成され、可動爪は、前記取付ベースの下面又は上面に開口及びその内側に前記取付ベースの上面又は下面に向けて延びる一対の摺動ガイドが形成されて、当該摺動ガイドに摺動可能に形成され設置される可動部材の前記開口側の端部に形成され、前記可動部材は常態として前記取付ベースの内部に前記可動部材に近接して設置されるばね部材により、前記取付ベースの内部に向けて押圧付勢されて、前記可動爪と共に前記取付ベースの下面又は上面に没入され、操作レバーはその中間部が前記取付ベースの内部で上面又は下面側に軸支されて、前記操作レバーの一端側は前記ケースの外部に回動可能に突出されるとともに、前記操作レバーの前記取付ベースの内部の他端と前記可動部材との間に駆動レバーが前記操作レバーの所定方向の回動により前記可動部材に向けて延び、前記可動部材を押圧可能にリンク結合され、併せて、前記取付ベースの内部に前記駆動レバーによる前記可動部材に対する押圧状態をロック可能な前記操作レバー及び前記駆動レバーの回動位置で、当該操作レバー及び／又は駆動レバーの回動を規制するストッパーが配設されて、前記操作レバーの所定方向の回動操作により、前記駆動レバーで前記可動部材を前記取付ベースの下面又は上面に向けて押圧し前記取付ベースの開口から前記可動爪を突出して、その状態を前記操作レバー及び前記駆動レバーと前記ストッパーとの係合によりロックし、前記操作レバーの前記所定方向とは反対の方向の回動操作により、前記駆動レバーの前記可動爪に対する押圧を解除して、前記可動爪を前記取付ベースの下面又は上面に没入する請求項１に記載のシステムレール。
【請求項３】
取付ベースの正面にモニターを含む各種の機器を取り付けるための取付プレートがユニバーサルジョイントを介して取り付けられ、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記取付ベースの正面に接合可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記取付ベース側の第２の継手に傾動可能にかつ回転可能に連結される請求項１又は２に記載のシステムレール。
【請求項４】
取付ベースの正面とモニターを含む各種の機器又はユニバーサルジョイントとの間に支持アームが介装され、前記支持アームは少なくとも２つのアームからなり、前記各アームはヒンジ装置を介して相互に回動可能にかつ前記各アーム間が任意の回動角度に保持可能に連結される請求項１乃至３のいずれかに記載のシステムレール。
【請求項５】
モニター及び／又はこれに関連する各種の機器を設置するための設置面に併せて固定される支持アームを備え、前記支持アームは、アーム本体と、アーム本体の先端にユニバーサルジョイントを介して連結される取付プレートとを備え、前記アーム本体は少なくとも２つのアームからなり、前記各アームはヒンジ装置を介して相互に回動可能にかつ前記各アーム間が任意の回動角度に保持可能に連結され、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記設置面側に固定可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記設置面側の第２の継手に傾動可能にかつ回転可能に連結され、前記取付プレートに前記モニター及び／又はこれに関連する各種の機器を取り付けるようにする請求項１乃至４のいずれかに記載のシステムレール。
【請求項６】
多数のモニター及び／又はこれに関連する各種の機器を設置するためのシステムレールユニットであって、
上下両側部に溝を有し、前記多数のモニター及び／又はこれに関連する各種の機器を設置するための設置面に、取付部材を介して取り付け固定されるレールと、
上下いずれか一方の側部に突状に形成され、前記レールの一方の溝に係止可能な固定爪と、他方の側部に出没可能に配設され、前記レールの他方の溝に係脱可能な可動爪と、前記可動爪に当該可動爪を前記他方の側部から突出させる方向に押圧可能な手段、及び当該可動爪の前記他方の側部からの突出状態をロック可能な手段を介して作動連結され、前記可動爪を前記他方の側部から出没操作するための操作レバーとを有し、前記レール上に着脱可能に取り付けられる取付ベースとを備え、
前記設置面に前記レールを複数本、垂直方向に並列に、又は水平方向に複列若しくは単列に、又は環状の配列に、又はこれらの選択的な組み合わせにより固定し、
前記多数のモニター及び／又はこれに関連する各種の機器毎に前記取付ベースを固着して、前記多数のモニター及び／又はこれに関連する各種の機器を当該取付ベースを介して前記各レールに取り付ける、
ことを特徴とするシステムレールユニット。
【請求項７】
取付ベースは全体がケース状に構成されて、固定爪は前記取付ベースの上面又は下面に一体的に形成され、可動爪は、前記取付ベースの下面又は上面に開口及びその内側に前記取付ベースの上面又は下面に向けて延びる一対の摺動ガイドが形成されて、当該摺動ガイドに摺動可能に形成され設置される可動部材の前記開口側の端部に形成され、前記可動部材は常態として前記取付ベースの内部に前記可動部材に近接して設置されるばね部材により、前記取付ベースの内部に向けて押圧付勢されて、前記可動爪と共に前記取付ベースの下面又は上面に没入され、操作レバーはその中間部が前記取付ベースの内部で上面又は下面側に軸支されて、前記操作レバーの一端側は前記ケースの外部に回動可能に突出されるとともに、前記操作レバーの前記取付ベースの内部の他端と前記可動部材との間に駆動レバーが前記操作レバーの所定方向の回動により前記可動部材に向けて延び、前記可動部材を押圧可能にリンク結合され、併せて、前記取付ベースの内部に前記駆動レバーによる前記可動部材に対する押圧状態をロック可能な前記操作レバー及び前記駆動レバーの回動位置で、当該操作レバー及び／又は駆動レバーの回動を規制するストッパーが配設されて、前記操作レバーの所定方向の回動操作により、前記駆動レバーで前記可動部材を前記取付ベースの下面又は上面に向けて押圧し前記取付ベースの開口から前記可動爪を突出して、その状態を前記操作レバー及び前記駆動レバーと前記ストッパーとの係合によりロックし、前記操作レバーの前記所定方向とは反対の方向の回動操作により、前記駆動レバーの前記可動爪に対する押圧を解除して、前記可動爪を前記取付ベースの下面又は上面に没入する請求項６に記載のシステムレールユニット。
【請求項８】
取付ベースの正面にモニターを含む各種の機器を取り付けるための取付プレートがユニバーサルジョイントを介して取り付けられ、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記取付ベースの正面に接合可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記取付ベース側の第２の継手に傾動可能にかつ回転可能に連結される請求項６又は７に記載のシステムレールユニット。
【請求項９】
取付ベースの正面とモニターを含む各種の機器又はユニバーサルジョイントとの間に支持アームが介装され、前記支持アームは少なくとも２つのアームからなり、前記各アームはヒンジ装置を介して相互に回動可能にかつ前記各アーム間が任意の回動角度に保持可能に連結される請求項６乃至８のいずれかに記載のシステムレールユニット。
【請求項１０】
モニター及び／又はこれに関連する各種の機器を設置するための設置面に併せて固定される支持アームを備え、前記支持アームは、アーム本体と、アーム本体の先端にユニバーサルジョイントを介して連結される取付プレートとを備え、前記アーム本体は少なくとも２つのアームからなり、前記各アームはヒンジ装置を介して相互に回動可能にかつ前記各アーム間が任意の回動角度に保持可能に連結され、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記設置面側に固定可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記設置面側の第２の継手に傾動可能にかつ回転可能に連結され、前記取付プレートに前記モニター及び／又はこれに関連する各種の機器を取り付けるようにする請求項６乃至９のいずれかに記載のシステムレールユニット。
【発明の詳細な説明】
【技術分野】
【０００１】
本発明は、モニター及び／又はこれに関連する各種の機器を１台から複数台までオフィスや学校、家庭などに設置するのに使用するシステムレール、及び多数のモニター及び／又はこれに関連する各種の機器を多数のモニターの集中監視を行う各種の管理センターやコントロールセンターなどの屋内施設に設置するのに使用するシステムレールユニットに関する。
【背景技術】
【０００２】
多数のモニターを中心とする各種の機器を設置して、多数のモニターの集中監視を行う各種の管理センターやコントロールセンターでは、従来、多数のモニター及びこれに関連する各種の機器を複数台のテーブルや台の上に載せていた。このため、多数のモニター及びこれに関連する各種の機器の配置やレイアウトはテーブルや台の上に限定され、その配置やレイアウトの自由度は極めて制限されるものであった。そこで、近年、多数のモニター及びこれに関連する各種の機器を自由な配置により設置し、また、その設置後のレイアウトの変更も簡易に行えるように、多数のモニター及びこれに関連する各種の機器を専用のラックに収納して設置するようになっている。この種のラックが例えば特許文献１に開示されている。
【０００３】
この文献１のラックは、並列状に複数台配置され、その上にモニターを載置するベースモジュールと、このベースモジュール上に載置するモニターを収納し、ベースモジュール上に積み重ねられる一段又は複数段の収納モジュールとにより構成され、これらベースモジュールと収納モジュールとを複数台組み合わせ、複数台のモニターを並列、かつ適数段のレイアウトにより配置するようにしたもので、多数のモニター及びこれに関連する各種の機器を自由に配置し、また、設置後のレイアウトの変更も任意に行えるようになっている。
【先行技術文献】
【特許文献】
【０００４】
【特許文献１】特開２００２−３７４０７９公報
【発明の概要】
【発明が解決しようとする課題】
【０００５】
しかしながら、上記従来のラックでは、多数のモニター他各種の機器をベースモジュールや収納モジュールに固定するのに多くのボルトを必要とし、各モニターを設置するときのボルトの取り付け作業や各モニターのレイアウトを変更する際のボルトの取り外し及び取り付け作業が煩雑になり、このため、多数のモニター他各種の機器の設置、増設及びその設置後のレイアウトの変更を簡易に行うことができない、という問題がある。
【０００６】
本発明は、このような従来の問題を解決するもので、オフィスや学校、家庭などで１台でも複数台でもモニター及び／又はこれに関連する各種の機器の設置、増設及びその設置後のレイアウトの変更を簡易に行うことのできるシステムレール、及び各種の管理センターやコントロールセンターなどの屋内施設で多数のモニター及び／又はこれに関連する各種の機器の設置、増設及びその設置後のレイアウトの変更を簡易に行うことのできるシステムレールユニットを提供する、ことを目的とする。
【課題を解決するための手段】
【０００７】
上記目的を達成するために、本発明は、モニター及び／これに関連する各種の機器を設置するためのシステムレールであって、上下両側部に溝を有し、前記モニター及び／又はこれに関連する各種の機器を設置するための設置面に、取付部材を介して取り付け固定されるレールと、上下いずれか一方の側部に突状に形成され、前記レールの一方の溝に係止可能な固定爪と、他方の側部に出没可能に配設され、前記レールの他方の溝に係脱可能な可動爪と、前記可動爪に当該可動爪を前記他方の側部から突出させる方向に押圧可能な手段、及び当該可動爪の前記他方の側部からの突出状態をロック可能な手段を介して作動連結され、前記可動爪を前記他方の側部から出没操作するための操作レバーとを有し、前記レール上に着脱可能に取り付けられる取付ベースとを備え、前記設置面に前記レールを固定し、前記モニター及び／又はこれに関連する各種の機器に前記取付ベースを固着して、前記モニター及び／又はこれに関連する各種の機器を当該取付ベースを介して前記レールに取り付ける、ことを要旨とする。
この場合、取付ベースは全体がケース状に構成されて、固定爪は前記取付ベースの上面又は下面に一体的に形成され、可動爪は、前記取付ベースの下面又は上面に開口及びその内側に前記取付ベースの上面又は下面に向けて延びる一対の摺動ガイドが形成されて、当該摺動ガイドに摺動可能に形成され設置される可動部材の前記開口側の端部に形成され、前記可動部材は常態として前記取付ベースの内部に前記可動部材に近接して設置されるばね部材により、前記取付ベースの内部に向けて押圧付勢されて、前記可動爪と共に前記取付ベースの下面又は上面に没入され、操作レバーはその中間部が前記取付ベースの内部で上面又は下面側に軸支されて、前記操作レバーの一端側は前記ケースの外部に回動可能に突出されるとともに、前記操作レバーの前記取付ベースの内部の他端と前記可動部材との間に駆動レバーが前記操作レバーの所定方向の回動により前記可動部材に向けて延び、前記可動部材を押圧可能にリンク結合され、併せて、前記取付ベースの内部に前記駆動レバーによる前記可動部材に対する押圧状態をロック可能な前記操作レバー及び前記駆動レバーの回動位置で、当該操作レバー及び／又は駆動レバーの回動を規制するストッパーが配設されて、前記操作レバーの所定方向の回動操作により、前記駆動レバーで前記可動部材を前記取付ベースの下面又は上面に向けて押圧し前記取付ベースの開口から前記可動爪を突出して、その状態を前記操作レバー及び前記駆動レバーと前記ストッパーとの係合によりロックし、前記操作レバーの前記所定方向とは反対の方向の回動操作により、前記駆動レバーの前記可動爪に対する押圧を解除して、前記可動爪を前記取付ベースの下面又は上面に没入するようにすることが好ましい。
取付ベースの正面にモニターを含む各種の機器を取り付けるための取付プレートがユニバーサルジョイントを介して取り付けられ、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記取付ベースの正面に接合可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記取付ベース側の第２の継手に傾動可能にかつ回転可能に連結されることが好ましい。
取付ベースの正面とモニターを含む各種の機器又はユニバーサルジョイントとの間に支持アームが介装され、前記支持アームは少なくとも２つのアームからなり、前記各アームはヒンジ装置を介して相互に回動可能にかつ前記各アーム間が任意の回動角度に保持可能に連結されることが好ましい。
モニター及び／又はこれに関連する各種の機器を設置するための設置面に併せて固定される支持アームを備え、前記支持アームは、アーム本体と、アーム本体の先端にユニバーサルジョイントを介して連結される取付プレートとを備え、前記アーム本体は少なくとも２つのアームからなり、前記各アームはヒンジ装置を介して相互に回動可能にかつ前記各アーム間が任意の回動角度に保持可能に連結され、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記設置面側に固定可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記設置面側の第２の継手に傾動可能にかつ回転可能に連結され、前記取付プレートに前記モニター及び／又はこれに関連する各種の機器を取り付けるようにすることが好ましい。
【０００８】
上記目的を達成するために、本発明は、多数のモニター及び／又はこれに関連する各種の機器を設置するためのシステムレールユニットであって、上下両側部に溝を有し、前記多数のモニター及び／又はこれに関連する各種の機器を設置するための設置面に、取付部材を介して取り付け固定されるレールと、上下いずれか一方の側部に突状に形成され、前記レールの一方の溝に係止可能な固定爪と、他方の側部に出没可能に配設され、前記レールの他方の溝に係脱可能な可動爪と、前記可動爪に当該可動爪を前記他方の側部から突出させる方向に押圧可能な手段、及び当該可動爪の前記他方の側部からの突出状態をロック可能な手段を介して作動連結され、前記可動爪を前記他方の側部から出没操作するための操作レバーとを有し、前記レール上に着脱可能に取り付けられる取付ベースとを備え、前記設置面に前記レールを複数本、垂直方向に並列に、又は水平方向に複列若しくは単列に、又は環状の配列に、又はこれらの選択的な組み合わせにより固定し、前記多数のモニター及び／又はこれに関連する各種の機器毎に前記取付ベースを固着して、前記多数のモニター及び／又はこれに関連する各種の機器を当該取付ベースを介して前記各レールに取り付ける、ことを要旨とする。
この場合、取付ベースは全体がケース状に構成されて、固定爪は前記取付ベースの上面又は下面に一体的に形成され、可動爪は、前記取付ベースの下面又は上面に開口及びその内側に前記取付ベースの上面又は下面に向けて延びる一対の摺動ガイドが形成されて、当該摺動ガイドに摺動可能に形成され設置される可動部材の前記開口側の端部に形成され、前記可動部材は常態として前記取付ベースの内部に前記可動部材に近接して設置されるばね部材により、前記取付ベースの内部に向けて押圧付勢されて、前記可動爪と共に前記取付ベースの下面又は上面に没入され、操作レバーはその中間部が前記取付ベースの内部で上面又は下面側に軸支されて、前記操作レバーの一端側は前記ケースの外部に回動可能に突出されるとともに、前記操作レバーの前記取付ベースの内部の他端と前記可動部材との間に駆動レバーが前記操作レバーの所定方向の回動により前記可動部材に向けて延び、前記可動部材を押圧可能にリンク結合され、併せて、前記取付ベースの内部に前記駆動レバーによる前記可動部材に対する押圧状態をロック可能な前記操作レバー及び前記駆動レバーの回動位置で、当該操作レバー及び駆動レバーの回動を規制するストッパーが配設されて、前記操作レバーの所定方向の回動操作により、前記駆動レバーで前記可動部材を前記取付ベースの下面又は上面に向けて押圧し前記取付ベースの開口から前記可動爪を突出して、その状態を前記操作レバー及び／又は前記駆動レバーと前記ストッパーとの係合によりロックし、前記操作レバーの前記所定方向とは反対の方向の回動操作により、前記駆動レバーの前記可動爪に対する押圧を解除して、前記可動爪を前記取付ベースの下面又は上面に没入するようにすることが好ましい。
取付ベースの正面にモニターを含む各種の機器を取り付けるための取付プレートがユニバーサルジョイントを介して取り付けられ、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記取付ベースの正面に接合可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記取付ベース側の第２の継手に傾動可能にかつ回転可能に連結されることが好ましい。
取付ベースの正面とモニターを含む各種の機器又はユニバーサルジョイントとの間に支持アームが介装され、前記支持アームは少なくとも２つのアームからなり、前記各アームはヒンジ装置を介して相互に回動可能にかつ前記各アーム間が任意の回動角度に保持可能に連結されることが好ましい。
モニター及び／又はこれに関連する各種の機器を設置するための設置面に併せて固定される支持アームを備え、前記支持アームは、アーム本体と、アーム本体の先端にユニバーサルジョイントを介して連結される取付プレートとを備え、前記アーム本体は少なくとも２つのアームからなり、前記各アームはヒンジ装置を介して相互に回動可能にかつ前記各アーム間が任意の回動角度に保持可能に連結され、前記ユニバーサルジョイントは、前記取付プレートの中心に穴が形成されて、当該取付プレートの背面側に前記穴を中心にして略環状に形成される前側の環状形状部及び前記前側の環状形状部に連続的に結合される略環状の後側の環状形状部からなり、前記前側及び後側の各環状形状部の内周面が相互に連続する断面円弧状に形成される第１の継手と、前記設置面側に固定可能な略平板状に形成され、中心にねじ穴付きのボスを有する平板形状部、前記平板形状部の正面周囲に前記第１の継手の内周面内に挿通可能に突設され、それぞれの外側面に前記第１の継手の内周面に係合可能な断面円弧状の摺動部を有し、それぞれの内側面に先端から前記平板形状部に向けて全体として漸次縮径されるテーパ面を形成するための傾斜面を有する複数の突状形状部、及び前記複数の突状形状部の傾斜面の先端側の内径と略同形の略円形状に形成され、中心にねじ穴を形成されて、前記各突状形状部の傾斜面上に配置されるとともに、前記中心のねじ穴からボルトが通され前記平板形状部のボスに螺合されて、前記ボルトの締め込みとともに前記各突状形状部間に圧入可能に組み付けられる円形形状部からなる第２の継手とを備え、前記取付プレート側の第１の継手が前記設置面側の第２の継手に傾動可能にかつ回転可能に連結され、前記取付プレートに前記モニター及び／又はこれに関連する各種の機器を取り付けるようにすることが好ましい。
【発明の効果】
【０００９】
本発明のシステムレールによれば、上記の構成により、オフィス、学校、家庭などの屋内空間の壁面、天井、デスク、テーブル、台など、モニター及び／又はこれに関連する各種の機器を設置するための設置面に、レールを固定し、モニター及び／又はこれに関連する各種の機器に取付ベースを固着して、この機器を当該取付ベースを介してレールに取り付けるので、設置面にモニター及び／又はこれに関連する各種の機器の設置、増設及びその設置後のレイアウトの変更を極めて簡易に行うことができる、という効果を奏する。
【００１０】
本発明のシステムレールユニットによれば、上記の構成により、各種の管理センターやコントロールセンターなどの屋内空間の壁面、天井、デスク、テーブル、台、ブースの各部など、多数のモニター及び／又はこれに関連する各種の機器を設置するための各設置面に、複数本のレールを垂直方向に並列に、又は水平方向に複列若しくは単列に、又は環状の配列に、又はこれらの選択的な組み合わせにより固定し、多数のモニター及び／又はこれに関連する各種の機器毎に取付ベースを固着して、これらの機器をそれぞれ当該取付ベースを介して各レールに取り付けるので、各設置面に多数のモニター及び／又はこれに関連する各種の機器の設置、増設及びその設置後のレイアウトの変更を極めて簡易に行うことができる、という効果を奏する。
【００１１】
本発明のシステムレールユニットによれば、支持アームを併せて使用し、アーム本体をモニター及び／又はこれに関連する各種の機器を設置するための設置面に固定し、アーム本体の先端にユニバーサルジョイントを介して連結された取付プレートに複数のモニター他各種の機器を固定して取り付けるので、支持アームの多方向への伸縮機能と、ユニバーサルジョイントの多方向への角度調整機能とにより、モニター他各種の機器をその向きや位置を多様に変化させて設置することができ、複数のモニター他各種の機器を設置空間にさらに多様なレイアウトにより設置することができる。
【図面の簡単な説明】
【００１２】
【図１】本発明の一実施の形態におけるシステムレールを示す斜視図
【図２】同システムレールの特にレール、取付ベース、取付ブラケット（支持ブラケット及び支柱）、取付プレート、及びユニバーサルジョイントを示す側面断面図
【図３】同システムレールの特にレールの取付ブラケット及びレールを取り付けるための支柱を示す側面図
【図４】同システムレールの特に取付ベースを示す背面図
【図５】同システムレールの特に取付ベース及び取付プレートを示す側面断面図
【図６】同システムレールの特に取付ベース、ユニバーサルジョイント及び取付プレートを示す側面断面図
【図７】同システムレールの特に支持アームを示す部分断面側面図
【図８】同システムレールのレールを設置面に設置するための支柱を示す一部省略正面図
【図９】同システムレールのレールを設置面に設置するためのまた別の支柱を示す一部省略正面図
【図１０】（ａ）同システムレールの特にレールの取付ブラケットと支柱との取り付け例を示す平面断面図（ｂ）同側面断面図
【図１１】同システムレールを用いたモニター及び／又はこれに関連する各種の機器の設置例を示す正面側斜視図
【図１２】同システムレールを用いたモニター及び／又はこれに関連する各種の機器の設置例を示す背面側斜視図
【図１３】本発明の一実施の形態におけるシステムレールユニットを示す斜視図
【図１４】本発明の一実施の形態におけるシステムレール及びシステムレールユニットに併せて使用する支持アームを示す側面断面図
【図１５】同支持アームを示す平面図
【図１６】同支持アームを用いたモニター及び／又はこれに関連する各種の機器の設置例を示す正面側斜視図
【図１７】同支持アームを用いたモニター及び／又はこれに関連する各種の機器のまた別の設置例を示す正面側斜視図
【発明を実施するための形態】
【００１３】
次に、この発明を実施するための形態について図を用いて説明する。図１にモニター及び／又はこれに関連する各種の機器を設置するためのシステムレールを示している。図１に示すように、システムレール１は、正面の上下両側部に溝２１４、２１６を有し、モニター及び／又はこれに関連する各種の機器を設置するための設置面に取付部材４を介して取り付け固定されるレール２と、上下いずれか一方の側部に突状に形成され、レール２の一方の溝２１４に係止可能な固定爪３１５と、他方の側部に出没可能に配設され、レール２の他方の溝２１６に係脱可能な可動爪３１６と、可動爪３１６に当該可動爪３１６を他方の側部から突出させる方向に押圧可能な手段、及び当該可動爪３１６の他方の側部からの突出状態をロック可能な手段を介して作動連結され、可動爪３１６を他方の側部から出没操作するための操作レバー３５とを有し、レール２上に着脱可能に取り付けられる取付ベース３とを備えて構成される。
【００１４】
図２にレールを示している。図２に示すように、レール２はレール本体２１とレールカバー２２とからなり、このレール２の場合、取付部材４の一部をなす取付ブラケット４１を併せて備える。レール本体２１はアルミニウム合金により横方向に長い所定の長さ（この場合、１台乃至３台のモニターが横に並べて配置できる程度の長さ）及び幅（この場合、モニターの縦方向の寸法の３分の１程度）を有する略矩形の平面形状に形成され、その平面の上部側及び下部側の所定の位置に断面台形の凹部２１１が左右両端間に亘って形成され、その所定の位置にボルト４１４のための複数のねじ穴２１２が設けられる。この場合、レール本体２１は上下両側部がそれぞれ正面側及び背面側に跨って断面コ字形に加工され、レール本体２１の正面側の上下両側部に沿って断面略Ｌ字形の係止部２１３、２１５が形成されて取付ベース３のための溝２１４、２１６が形成され、背面側の上下両側部に沿って断面略Ｌ字形の係止部２１７、２１９が併せて形成されてレールカバー２２のための溝２１８、２２０が形成される。レールカバー２２はポリプロピレンなどの合成樹脂によりレール本体２１の背面側に所定の小空間を形成可能な正面に開口２２１を有する深さの浅い箱形に形成される。また、このレールカバー２２は正面の開口２２１の上下両側部にそれぞれレール本体２１の背面側の係止部２１７、２１９に係合可能な断面略コ字形の係止部２２２、２２３が形成される。取付ブラケット４１はアルミニウム合金により形成され、レールカバー２２内に固定される固定部４１１とレールカバー２２から突出される支持部４１６とからなる。この取付ブラケット４１の場合、図３に示すように、固定部４１１はレールカバー２２内の小空間の断面形状を有する枠状に形成され、左右両側面間が上部開口と中間開口と下部開口とにより貫通される。また、この固定部４１１の正面の上端部及び下端部にそれぞれレール本体２１上下両側部の係止部２１７、２１９に係止可能に断面略Ｌ字形の係止部４１２、４１３が形成され、正面の上部側及び下部側の所定の位置にボルト４１４のためのねじ穴４１５が設けられる。支持部４１６は固定部４１１の背面に突状に形成され、その突出端の中央にねじ部挿通穴４１７、上下に中央のねじ部挿通部４１７を中心とする円弧状の配列の複数のねじ挿通穴４１８がそれぞれ設けられる。このようにして、図２に示すように、レールカバー２２内の左右両側間の中央位置に取付ブラケット４１の固定部４１１が嵌め込まれ、支持部４１６がレールカバー２２に形成されたスリットを通じて外側に突出される。そしてレールカバー２２の正面開口２２１上にレール本体２１が合わせられ、レール本体２１の背面側の上下両側部の係止部２１７、２１９とレールカバー２２の上下両側部の係止部２２２、２２３とを取付ブラケット４１の上下の係止部４１２、４１３と共に係合させて取り付けられる。なお、レールカバー２２の両端開口にはそれぞれ、エンドカバー２３が装着されて、レールカバー２２の両端が閉塞される（図１参照）。
【００１５】
図２及び図４に取付ベースを示している。図２に示すように、取付ベース３は背面に開口３１０、上面にスリット３１１、下面に開口３１２を有するケース状のベース本体３１と、ベース本体３１の背面に固定されるバックプレート３２とからなる。この場合、ベース本体３１はアルミダイカストにより全体が略縦長の四角形のケース状に形成され、左右両側面は中央部分が外側に向けて円弧状に張り出され、背面は全面が開口される。ベース本体３１上面のスリット３１１は操作レバー３５が突出可能でかつ回動可能に、上面の正面側に細長く切り欠き形成される。ベース本体３１下面の開口３１２は下面の中央に矩形状に形成され、図４に示すように、この開口３１２の内側で左右両側にベース本体３１の上面に向けて延びる一対の摺動ガイド３１３が形成される。また、この取付ベース３１の内部には略四隅付近に、背面の開口３１０に向けてねじ穴付きのボス３１４が突設される。図２に示すように、バックプレート３２はアルミニウム合金の平板によりベース本体３１の背面開口３１０に嵌合可能に当該開口３１０と略同じ形状に形成され、その平面の略四隅付近にねじ挿通穴３２０が穿たれる。ベース本体３１の背面開口３１０にバックプレート３２が嵌め込まれて、ねじ３２１がバックプレート３２の各ねじ挿通穴３２０に通され、ベース本体３１のボス３１４に締結されて、ベース本体３１とバックプレート３２が固定される。このようにして取付ベース３は全体が縦長の概ね四角形のケース構造に構成される。図４に示すように、固定爪３１５は取付ベース３の一方の側部に一体的に形成される。この場合、固定爪３１５はベース本体３１の上面の背面側に一体に横方向に長い板状に成形される。可動爪３１６は、取付ベース３の下面に開口３１２内の一対の摺動ガイド３１３に摺動可能に形成され設置される可動部材３３の開口３１２側の端部に形成される。この場合、可動部材３３は上部体３３Ｕと下部体３３Ｄとからなる。上部体３３Ｕは下端が開口する左右に一対の円筒部３３１を有する略逆Ｕ字形に形成される。この上部体３３Ｕには、上部上面の背面側に前後方向に向けて軸挿通部３３２を有する連結片３３３が上方に向けて突設され、上部下面の中央にコイルスプリング３３４を装着するための突起３３５が突設され、また、上部の左右両側に各円筒部３３１に連通するねじ挿通部３３６が形成される。下部体３３Ｄは上部体３３Ｕの各円筒部３３１に挿通可能な左右に一対の軸３３７を有する略Ｕ字形に形成される。一対の軸３３７の上端にねじ穴３３８が設けられる。この下部体３３Ｄの下部下面の背面側に一体に、可動爪３１６が横方向に長い板状に成形される。このようにして下部体３３Ｄの一対の軸３３７にそれぞれコイルスプリング３４０が巻装されて、これらの軸３３７が、コイルスプリング３４０を圧縮されながら、上部体３３Ｕの一対の円筒部３３１内に挿通され、ねじ３３９が上部体３３Ｕの上部の左右両側の各ねじ挿通部３３６に通され下部体３３Ｄの各軸３３７の上端のねじ穴３３８に締結されて、これら下部体３３Ｄと上部体３３Ｕが両者間に弾性作用を持たせて組み立てられる。この可動部材３３は取付ベース３の下面の開口３１２内の一対の摺動ガイド３１３間に配置され、常態として取付ベース３の内部に可動部材３３に近接して設置されるばね部材により、取付ベース３の内部に向けて押圧付勢されて、可動爪３１６と共に取付ベース３の下面に没入される。この場合、ばね部材にコイルスプリング３３４が採用され、取付ベース３（ベース本体３１）の、上部体３３Ｕの上部下面の突起３３５の下方所定の位置にコイルスプリング３３４を圧縮して装着するためのストッパー３４が取り付けられて、上部体３３Ｕの突起３３５と取付ベース３のストッパー３４との間にコイルスプリング３３４が圧縮されて装着され、このコイルスプリング３３４の付勢により可動部材３３は一対の摺動ガイド３１３間で常態として取付ベース３の上面に向けて押圧付勢され、可動爪３１６と共に取付ベース３の開口３１２内に保持される。操作レバー３５はその中間部が取付ベース３の内部で上面側に軸支されて、操作レバー３５の一端側が取付ベース３の外部に回動可能に突出されるとともに、操作レバー３５の取付ベース３の内部の他端と可動部材３３との間に駆動レバー３６が操作レバー３５の所定方向の回動により可動部材３３に向けて延び、可動部材３３を押圧可能にリンク結合される。この場合、操作レバー３５は鋼板により略への字形に形成され、その屈曲部に回動中心として軸挿通部３５０が設けられる。この操作レバー３５は取付ベース３のベース本体３１内の上面側で可動部材３３上部の連結片３３３に対向する位置に軸３５１を介して軸支され、操作レバー３５の長い一端側が取付ベース３上面のスリット３１１を通じて取付ベース３の外部に回動可能に突出される。また、操作レバー３５の取付ベース３の内部の他端と可動部材３３上部の連結片３３３との間に所定の長さを有する駆動レバー３６が軸３６１を介してリンク結合され、これにより、操作レバー３５の反時計回りの回動操作により駆動レバー３６が可動部材３３を取付ベース３の下面に向けて押し出す方向に回動可能に、操作レバー３５の時計回りの回動操作により駆動レバー３６が可動部材３３を取付ベース３の下面に対して引き上げ方向に回動可能に連結されて、操作レバー３５をコイルスプリング３３４の付勢力に抗して反時計回りに回動操作することにより、可動部材３３を取付ベース３の下面に向けて押圧し、可動爪３１６を取付ベース３の開口３１２から突出可能に、この状態から操作レバー３５を時計回りに回動操作することにより、可動部材３３に対する押圧を解除して、可動爪３１６を取付ベース３の開口３１２に没入可能に、操作レバー３５と可動部材３３が作動連結される。併せて、取付ベース３の内部には駆動レバー３６による可動部材３３に対する押圧状態をロック可能な操作レバー３５及び駆動レバー３６の回動位置で、当該操作レバー３５及び／又は駆動レバー３６の回動を規制可能にストッパー３７が配設される。この場合、可動爪３１６の突出状態が安定してロックされるように、操作レバー３５と駆動レバー３６との連結点が操作レバー３５の軸支点と可動部材３３上部の連結片３３３の軸支点とを結ぶ直線を少し超えたところで停止するように取付ベース３（ベース本体３１）に操作レバー３５と駆動レバー３６の回動を規制するストッパー３７が取り付けられる。
【００１６】
この取付ベース３は直接モニター他各種の機器に直接固着されてもよいが、この実施の形態では、取付ベース３の正面に取付プレートを直接取り付けて、又は取付プレートをユニバーサルジョイントを介して取り付けて、この取付プレートにモニター及び／又はこれに関連する各種の機器を取り付けるようにしている。
【００１７】
図５に取付ベースの正面に取付プレートを直接取り付ける場合を例示している。図５に示すように、取付プレート５はアルミダイカストにより四角形（この場合、正方形）の平板状に形成される。また、この取付プレート５には、平面の中心に円形の穴５０が形成されて、背面側に穴５０を中心にして略円環状の環状形状部５１が形成され、また、この環状形状部５１の背面側の開口周縁部にねじ穴５２が設けられる。なお、この環状形状部５１の内周面５３は所定の断面円弧状に形成される。このようにして取付プレート５は取付ベース３の正面に配置され、ベース本体３１に設けられたねじ挿通部に通されたねじ５４が取付プレート５のねじ穴５２に締結されて、取付プレート５と取付ベース３が固定される。
【００１８】
図６に取付ベースの正面に取付プレートをユニバーサルジョイントを介して取り付ける場合を例示している。図６に示すように、取付プレート５は既述の取付プレート５と共通で、この取付プレート５の背面側の環状形状部５１はユニバーサルジョイント６の一部をなす。このユニバーサルジョイント６は、取付プレート５の背面側に穴５０を中心にして略環状に形成される前側の環状形状部５１及びこの前側の環状形状部５１に連続的に結合される略環状の後側の環状形状部６１からなり、前側及び後側の各環状形状部５１、６１の内周面５３、６２が相互に連続する断面円弧状に形成される第１の継手６０１と、取付ベース３の正面に接合可能な略平板状に形成され、中心にねじ穴付きのボス６３を有する平板形状部６４、平板形状部６４の正面周囲に第１の継手６０１の内周面５３、６２内に挿通可能に突設され、それぞれの外側面に第１の継手６０１の内周面５３、６２に係合可能な断面円弧状の摺動部６５を有し、それぞれの内側面に先端から平板形状部６４に向けて全体として漸次縮径されるテーパ面を形成するための傾斜面６６を有する複数の突状形状部６７、及び複数の突状形状部６７の傾斜面６６の先端側の内径と略同形の略円形状に形成され、中心にねじ穴６８を形成されて、各突状形状部６７の傾斜面６６上に配置されるとともに、中心のねじ穴６８からボルト６８１が通され平板形状部６４のボス６３に螺合されて、ボルト６８１の締め込みとともに各突状形状部６７間に圧入可能に組み付けられる円形形状部６９からなる第２の継手６０２とを備えて構成される。この場合、第１の継手６０１をなす前側及び後側の各環状形状部５１、６１はそれぞれアルミニウム合金により円環状に形成され、前側の環状形状部５１の背面側開口周縁部にねじ穴５２を有し、後側の環状形状部６１の開口周縁部にねじ挿通穴６２０が貫通形成されて、前側の環状形状部５１に後側の環状形状部６１がねじ６２１により締結されて固定される。また、前側及び後側の各環状形状部５１、６１の内周面５３、６２は球体を回転可能に保持可能な一体的な断面円弧状に形成され、球面状をなす。第２の軸受６０２をなす平板形状部６４及び複数の突状形状部６７はアルミニウム合金により一体に形成され、平板形状部６４は後側の環状形状部６１の背面側の開口よりも少し小さい円板状に形成され、各突状形状部６７は平板形状部６４の正面の周囲に沿って等間隔に所定の長さの支柱状に形成され、各突状形状部６７の先端側の外側面に断面略コ字形の摺動部取付部６７１が形成される。これらの摺動部取付部６７１にはそれぞれ両側部間の凹部中央の面に凸段部６７２が両側部よりも低い高さに形成される。摺動部６５はポリアセタールからなる小チップで、各突状形状部６７の各摺動部取付部６７１の凹部内に嵌合可能な断面略コ字形にかつ外側面が第１の継手６０１の内周面（球面）５３、６２に係合可能な断面円弧状に、すなわち球面状に形成される。また、円形形状部６９はアルミニウム合金により円形にかつ傘状に形成され、その背面側の中心に円筒部６９０が形成されて、円筒部６９０にねじ穴６８が設けられる。このようにして各突状形状部６７の各摺動部取付部６７１の凹部内に摺動部６５が嵌め込まれ、各突状形状部６７の傾斜面６６上に円形形状部６９が配置されるとともに、円形形状部６９中心のねじ穴６８からボルト６８１（この場合、ヘッドに六角溝を有するボルト）が通され平板形状部６４のボス６３に螺合されて、このボルト６８１の締め込みとともに円形形状部６９が各突状形状部６７間に圧入可能に組み付けられる。そして、第１の継手６０１の各環状形状部５１、６１間に第２の継手６０２が組み込まれ、各環状形状部５１、６１がねじ６２１で締め付け固定されることにより、取付プレート５側の第１の継手６０１が取付ベース３側の第２の継手６０２の摺動部６５の回りに傾動可能にかつ回転可能に連結される。この場合、取付プレート５中心の穴５０から工具（この場合、六角レンチ）を差し込み、ボルト６８１を締め込むと、円形形状部６９は各突状形状部６７間に圧入され、各突状形状部６７が外周方向に押圧されるので、各突状形状部６７の摺動部６５が第１の継手６０１の内周面５３、６２に圧接されて、第１の継手６０１が第２の継手６０２に対して傾きにくく、回りにくくなり、反対に、ボルト６８１を緩めると、円形形状部６９は各突状形状部６７間を圧入方向とは反対方向に移動され、各突状形状部６７の外周方向への押圧が解除されるので、各突状形状部６７の摺動部６５の第１の継手６０１の内周面５３、６２に対する圧接状態が緩められて、第１の継手６０１が第２の継手６０２に対して傾きやすく、回りやすく調整される。
【００１９】
このシステムレール１ではまた、取付ベース３と取付プレート５との間、又は取付ベース３とユニバーサルジョイント６との間に支持アームを介在させてもよい。この支持アームを図７に示している。図７に示すように、支持アーム７は複数のアーム７１、７２を備え、各アーム７１、７２がヒンジ装置７３を介して相互に水平方向（左右方向）に回動可能にかつ各アーム７１、７２間が任意の回動角度に保持可能に連結される。そして、基端側のアーム７１に、アーム７１、７２全体を取付ベース３に支持固定するための固定ベース又はレール２に直接差し込むためのアタッチメントが設けられ、先端側のアーム７２に、取付プレート５又はユニバーサルジョイント６の平板形状部６４を取り付けるための台座プレート７５が設けられる。なお、図７では、アーム７１、７２全体をレールに差し込むためのアタッチメント７４が例示されている。複数のアーム７１、７２は基端側のショートアーム７１と先端側のロングアーム７２とからなる。この場合、ショートアーム７１はアルミニウム合金により形成され、平断面が略Ｔ字形の所定の長さを有する中央のブロック７１１と、中央のブロック７１１の前部の上部及び下部、並びに後部の上部及び後部にそれぞれ円形に突出され、その外側面に円形の溝７１２が形成されてその中心にシャフト挿通穴７１３を穿設されてなる前側の一対の軸受７１４Ｆ及び後側の一対の軸受７１４Ｒとを具備する。ロングアーム７２はアルミニウム合金により形成され、ショートアーム７１の一対の軸受７１４Ｆ間に配置可能なショートアーム７１よりも長い所定の長さを有するプレート状の中央のブロック７２１と、中央のブロック７２１の前部の上部及び下部に前方向に円形に突出され、その外側面に円形の溝７２２が形成されてその中心にシャフト挿通穴７２３を穿設されてなる前側の一対の軸受７２４、及び後部に円筒状に突出されてなる上下方向にシャフト挿通部７２５を有する後側の軸受７２６とを具備する。ショートアーム７１の前側の一対の軸受７１４Ｆ間にロングアーム７２の後側の軸受７２６が一対の軸受７１４Ｆと軸受７２６との間にそれぞれワッシャ７２７を介して配置され、一対の軸受７１４Ｆの各シャフト挿通穴７１３と軸受７２６のシャフト挿通部７２５との間にロングシャフト７２８が挿通される。このロングシャフト７２８はロングアーム７１の一対の軸受７１４Ｆ間を挿通可能なシャフトからなり、その上下両端部にボルト７２９のためのねじ穴７３０が設けられる。そして、このロングシャフト７２８の上部及び下部にワッシャ７２７、皿ばね座金７３１及びワッシャ７３２、７３３が通されて一対の軸受７１４Ｆの溝７１２内に配置された後、ロングシャフト７２８の上端部及び下端部の各ねじ穴７３０にボルト７２９が締め込まれる。なお、これらの溝７１２はホールプラグ７３４が嵌着されて閉塞される。ショートアーム７１とロングアーム７２はかかるヒンジ装置７３により相互に水平方向（左右方向）に回動可能にかつ各アーム７１、７２間が任意の回動角度に保持可能に連結される。アタッチメント７４は、レール２の上下の各溝２１４、２１６に嵌合可能な矩形状の取付板７４１と、この取付板７４１の一方の平面の左右方向中央に前方に向けて円筒状に突出する上下方向にシャフト挿通部７４２を有する軸受７４３とを具備する。このアタッチメント７４は軸受７４３がショートアーム７１の後側の一対の軸受７１４Ｒ間に軸受７４３と一対の軸受７１４Ｒとの間にそれぞれワッシャ７２７を介して配置され、一対の軸受７１４Ｒの各シャフト挿通穴７１３と軸受７４３のシャフト挿通部７４２との間にロングシャフト７２８が挿通される。このロングシャフト７２８は既述のロングシャフト７２８と共通である。そして、このロングシャフト７２８の上部及び下部に、既述のとおり、ワッシャ（７２７）、皿ばね座金（７３１）、及びワッシャ（７３２、７３３）が通されて一対の軸受７１４Ｒの溝７１２内に配置された後、ロングシャフト７２８の上端部及び下端部の各ねじ穴（７３０）にボルト（７２９）が締め込まれる。なお、これらの溝７１２はホールプラグ７３４が嵌着されて閉塞される。ショートアーム７１とアタッチメント７４はかかるヒンジ装置７３によりショートアーム７１がアタッチメント７４に対して水平方向（左右方向）に回動可能にかつ任意の回動角度に保持可能に連結される。なお、アタッチメント７４に代えて、固定ベースを取り付ける場合、固定ベースは、取付ベースに取付可能な取付板と、この取付板の一方の平面の左右方向中央に前方に向けて円筒状に突出する上下方向にシャフト挿通部を有する軸受とを備え、取付板を取付ベースに固定して取り付けられる。台座プレート７５は、ロングアーム７２の一対の軸受７２４間に嵌合可能な平板状の台座本体７５１と、この台座本体７５１の一方の平面の左右方向中央に後方に向けて円筒状に突出する上下方向にシャフト挿通部７５２を有する軸受７５３とを具備する。この台座プレート７５は軸受７５３がロングアーム７２の前側の一対の軸受７２４間に軸受７５３と一対の軸受７２４との間にそれぞれワッシャ７２７を介して配置され、一対の軸受７２４の各シャフト挿通穴７２３と軸受７５３のシャフト挿通部７５２との間にショートシャフト７５４が挿通される。このショートシャフト７５４はロングアーム７２の一対の軸受７２４間を挿通可能なシャフトからなり、その上下両端部にボルト７５５のためのねじ穴７５６が設けられる。そして、このショートシャフト７５４の上部及び下部にワッシャ７２７、皿ばね座金７３１及びワッシャ７３２、７３３が通されて一対の軸受７２４の溝７２２内に配置された後、ショートシャフト７５４の上端部及び下端部の各ねじ穴７５６にボルト７５５が締め込まれる。なお、これらの溝７２２はホールプラグ７３４が嵌着されて塞がれる。ロングアーム７２と台座プレート７５はかかるヒンジ装置７３により台座プレート７５がロングアーム７２に対して水平方向（左右方向）に回動可能にかつ任意の回動角度に保持可能に連結される。
【００２０】
このようにしてシステムレール１は構成され、オフィス、学校、家庭などの屋内空間の壁面、天井、デスク、テーブル、台など、モニター及び／又はこれに関連する各種の機器を設置するための設置面に、レール２を固定し、モニター及び／又はこれに関連する各種の機器に取付ベース３を固着して、この機器を当該取付ベース３を介してレール２に取り付ける。
【００２１】
このシステムレール１の取り付け例を図１に示している。図１では、システムレール１を取付部材４として支柱４２を用いて設置面に固定する場合を示している。この場合、支柱４２は、図８に示すように、アルミニウム合金により形成され、一つの面に上下方向に伸びる所定幅の切欠部４２０を有する四角柱状の中空の柱材からなる支柱本体４２１と、アルミダイカストにより形成され、支柱本体４２１の下部に固着される四角形の平板状の支柱台座４２２とからなる。この場合、支柱４２には、支柱本体４２１の切欠部４２０に支柱カバー４３が装着される。支柱カバー４３はポリプロピレンにより形成されて、支柱本体４２１の切欠部４２０を覆う細長い帯状のカバーと、カバーの裏面に切欠部４２０に挿通可能に突出され、切欠部４２０の左右両側のエッジに内側から係止可能な一対の係止爪とからなり、カバーの裏面と各係止爪とにより切欠部４２０の左右両側の各エッジを挟持して、切欠部４２０上に固定される。また、この支柱４２には、支柱本体４２１の頂部にトップカバー４４が装着される。トップカバー４４はＡＢＳ樹脂により形成されて、支柱本体４２の頂部と略同形の平板状のカバーと、カバーの裏面に支柱本体４２１の内部に形成された断面Ｃ字形又はＯ字形の複数のピン挿通部に係合可能な複数のピンとからなり、各ピンが各ピン挿通部に差し込み係合されて、頂部上に固定される。また、支柱台座４４は上面の四隅にボルト挿通部４２３が凹状に形成され、支柱台座４４を設置面に固定するためのボルトが挿通されるようになっている。このようにして支柱４２は支柱台座４４が机、テーブル、台などの設置面にボルト及びナットにより締結固定されて取り付けられる。なお、支柱台座４４の各ボルト挿通部４４１にはボルト隠し用のキャップが装着される。
また、支柱４２は、図９に示すように、支柱台座４２２の下部にクランプ部材４５を備えたものでもよい。このクランプ部材４５は、略コ字形のアングル材４５１と、アングル材４５１の下部に形成されたねじ穴４５４に通される頂部に押えプレート４５２を有する雄ねじ部材４５３とからなり、アングル材４５１の上面が支柱台座４２２の下面にボルト及びナットにより締結されて、支柱４２に一体的に付設される。なお、この支柱４２は図８の支柱４２と同様の構成を備えており、支柱４２の各部に図８と同様の符号を付してある。このようにして支柱４２は机、テーブル、台などの設置面に、クランプ部材４５により、すなわちアングル材４５１と雄ねじ部材４５３の締め込みによる押えプレート４５２とにより挟持固定されて取り付けられる。
そして、レール２は既述の取付ブラケット４１を支柱４２にクランプレバーを用いて取り付けられる。この場合、図１０に示すように、レール２の取付ブラケット４１の突出端とインナーナット４５０が取付ブラケット４１の上下の各ねじ挿通穴４１８からねじ４６が挿通され、インナーナット４５０側の各ねじ穴に締め込まれて組み付けられ、インナーナット４５０が支柱４２の切欠部４２０の内側所定の位置に配置され、取付ブラケット４１の突出端が支柱４２の切欠部４２０上所定の位置に配置されて、これらインナーナット４５０と取付ブラケット４２１が支柱本体４２１の切欠部４２０の両側を挟み込んだ状態で、クランプレバー４７のねじ部４７１を取付ブラケット４１のねじ部挿通穴４１７に通し、インナーナット４５０側のねじ穴に係合させて、クランプレバー４５１のレバーを回すことにより、取付ブラケット４１の突出端とインナーナット４５０が締め付けられて、レール２が支柱４２に固定される。この場合、レール２の取付ブラケット４１の上下の各ねじ挿通穴４１８からインナーナット４５０側の各ねじ穴に合わせるねじ挿通穴４１８を適宜選択することにより、レール２の取付ブラケット４１を支柱４２に対して適宜の角度に調整して取り付けることができる。なお、この取付作業は支柱４２に支柱カバー４３１やトップカバー４３２が装着されていない状態で行われる。
【００２２】
図１１、図１２にシステムレール１を机、テーブル、台などの上に設置する場合を例示している。なお、ここでは、２台分のモニターを取り付け可能なレール２と、モニター及び／又はこれに関連する各種の機器を固定するための取付ベース３、この場合、取付ベース３の正面に支持アーム７、ユニバーサルジョイント６、及び取付プレート５を具備する形式のものとを使用する。この場合、レール２を取付部材４（取付ブラケット４１及び支柱４２）により設置面に固定し、モニター及び／又はこれに関連する各種の機器に取付プレート５を固定して、このモニター及び／又はこれに関連する各種の機器に取付プレート５、ユニバーサルジョイント６、及び支持アーム７を介して取付ベース３を固着する。
そして、この機器の取付ベース３の上下をレール２の上下に合わせ、取付ベース３の固定爪３１６をレール２の上側部の溝２１４に係合させた後、操作レバー３５を所定方向に回動操作することにより、取付ベース３内部の駆動レバー３６で可動部材３３を取付ベース３の下面に向けて押圧し取付ベース３の開口３１２から可動爪３１６を突出して、可動爪３１６をレール２の下側部の溝２１６に係合させ、その状態を操作レバー３５及び駆動レバー３６とストッパー３７との係合によりロックする。これにより、モニター及び／又はこれに関連する各種の機器がレール２に取り付けられる。また、この場合、取付ベースに取付プレート５がユニバーサルジョイント６により取り付けられているので、モニター他各種の機器を上下左右方向任意の向きに角度調整することができる。さらに、取付ベース３とユニバーサルジョイント６との間に支持アーム７を備えているので、モニター他各種の機器をレール２に対して左右方向に任意の向きに角度調整したり、また、レール２の正面から前方へ又は左右方向に移動したり、レール２の正面に押し戻したりすることができる。この支持アーム７をユニバーサルジョイント６と併せて用いれば、モニター他各種の機器の向きや位置を多様に変化させることができる。モニター及び／又はこれに関連する各種の機器をレール２から取り外す場合は、操作レバー３５を反対方向に回動操作することにより、駆動レバー３６の可動爪３１６に対する押圧を解除して、可動爪３１６を取付ベース３の下面に没入する。これにより、レール２からモニター及び／又はこれに関連する各種の機器を取り外すことができる。
また、設置面に３台以上のモニター及び／又はこれに関連する各種の機器を設置する場合は、３台分以上のモニターを取り付け可能なレール、又は２台分若しくは３台分のモニターを取付可能なレールを適宜組み合わせて用い、３個以上の取付ベースにそれぞれモニター及び／又はこれに関連する各種の機器を１台ずつ固定して、これらの取付ベースを介してレールに取り付ければよい。
【００２３】
また、このシステムレール１を用いて、モニター及び／又はこれに関連する各種の機器を天井に設置することができる。この場合、レールを天井用の取付ブラケットにより天井に固定し、モニター及び／又はこれに関連する各種の機器に取付ベースを固着する。そして、この機器の取付ベースの上下をレールの上下に合わせ、取付ベースの固定爪をレールの上側部の溝に係合させた後、操作レバーを所定方向に回動操作することにより、取付ベース内部の駆動レバーで可動部材を取付ベースの下面に向けて押圧し取付ベースの開口から可動爪を突出して、可動爪をレールの下側部の溝に係合させ、その状態を操作レバー及び駆動レバーとストッパーとの係合によりロックする。これにより、モニター及び／又はこれに関連する各種の機器がレールに取り付けられる。モニター及び／又はこれに関連する各種の機器をレールから取り外す場合は、操作レバーを反対方向に回動操作することにより、駆動レバーの可動爪に対する押圧を解除して、可動爪を取付ベースの下面に没入する。これにより、レールからモニター及び／又はこれに関連する各種の機器を取り外すことができる。
また、この場合、取付ベースに取付プレートがユニバーサルジョイントにより取り付けられる場合、モニター他各種の機器を上下左右方向任意の向きに角度調整することができる。
さらに、この場合、取付ベースと取付プレートとの間、又は取付ベースとユニバーサルジョイントとの間に支持アームを備えることにより、モニター他各種の機器をレールに対して左右方向に任意の向きに角度調整したり、また、レールの正面から前方へ又は左右方向に移動したり、レールの正面に押し戻したりすることができる。この支持アームをユニバーサルジョイントと併せて用いれば、モニター他各種の機器の向きや位置を多様に変化させることができる。
【００２４】
さらに、このシステムレール１を用いて、モニター及び／又はこれに関連する各種の機器を壁面に設置することができる。この場合、レールを壁面用の取付ブラケットにより壁面に固定し、モニター及び／又はこれに関連する各種の機器に取付ベースを固着する。そして、この機器の取付ベースの上下をレールの上下に合わせ、取付ベースの固定爪をレールの上側部の溝に係合させた後、操作レバーを所定方向に回動操作することにより、取付ベース内部の駆動レバーで可動部材を取付ベースの下面に向けて押圧し取付ベースの開口から可動爪を突出して、可動爪をレールの下側部の溝に係合させ、その状態を操作レバー及び駆動レバーとストッパーとの係合によりロックする。これにより、モニター及び／又はこれに関連する各種の機器がレールに取り付けられる。モニター及び／又はこれに関連する各種の機器をレールから取り外す場合は、操作レバーを反対方向に回動操作することにより、駆動レバーの可動爪に対する押圧を解除して、可動爪を取付ベースの下面に没入する。これにより、レールからモニター及び／又はこれに関連する各種の機器を取り外すことができる。
また、この場合、取付ベースに取付プレートがユニバーサルジョイントにより取り付けられる場合、モニター他各種の機器を上下左右方向任意の向きに角度調整することができる。
さらに、この場合、取付ベースと取付プレートとの間、又は取付ベースとユニバーサルジョイントとの間に支持アームを備えることにより、モニター他各種の機器をレールに対して左右方向に任意の向きに角度調整したり、また、レールの正面から前方へ又は左右方向に移動したり、レールの正面に押し戻したりすることができる。この支持アームをユニバーサルジョイントと併せて用いれば、モニター他各種の機器の向きや位置を多様に変化させることができる。
【００２５】
以上説明したように、このシステムレール１によれば、上記のとおり、オフィス、学校、家庭などの屋内空間の壁面、天井、デスク、テーブル、台など、モニター及び／又はこれに関連する各種の機器を設置するための設置面に、レール２を固定し、モニター及び／又はこれに関連する各種の機器に取付ベース３を固着して、この機器を当該取付ベース３を介してレール２に取り付けるので、従来のように各種の機器をラックに多くのボルトを用いて取り付けるのと異なり、設置面にモニター及び／又はこれに関連する各種の機器の設置、増設及びその設置後のレイアウトの変更を極めて簡易に行うことができる。また、このシステムレール１では、各種の取付ブラケット４、ユニバーサルジョイント５、支持アーム７などの付帯部品を必要に応じて選択的に使用することで、モニター他各種の機器を実用上最適な向きや位置に取り付けることができる。
【００２６】
図１３に多数のモニターを中心とする各種の機器を設置するためのシステムレールユニット１１を示している。図１３に示すように、システムレールユニット１１は、複数のレール２と、複数の取付ベース３と、必要に応じて取付ブラケット４、ユニバーサルジョイント６、及び支持アーム７を選択的に備えて構成される。なお、これら各部材２、３、４、６、７の構成及びその作用効果については既に説明したとおりであり、ここではその重複した説明を省略することにする。そして、各種の管理センターやコントロールセンターなどの屋内空間の壁面Ａ、天井Ｂ、デスク又はテーブルＣ、ブースＤの各部など、多数のモニターを中心とする各種の機器を設置するための各設置面に、複数のレール２を、垂直方向に並列に、又は水平方向に複列若しくは単列に、又は環状の配列に、又はこれらの選択的な組み合わせにより固定し、多数のモニター及び／又はこれに関連する各種の機器毎に取付ベース３を固着して、当該取付ベース３を介して各レール２に取り付ける。なお、各部における取付ベース３のレール２への取り付け方法については既に説明したとおりであり、ここではその重複した説明を省略することにする。
【００２７】
以上説明したように、このシステムレールユニット１１によれば、上記のとおり、各種の管理センターやコントロールセンターなどの屋内空間の壁面、天井、デスク、テーブル、ブースの各部など、多数のモニター及び／又はこれに関連する各種の機器を設置するための各設置面に、複数本のレール２を垂直方向に並列に、又は水平方向に複列若しくは単列に、又は環状の配列に、又はこれらの選択的な組み合わせにより固定し、多数のモニター及び／又はこれに関連する各種の機器毎に取付ベース３を固着して、これらの機器をそれぞれ当該取付ベース３を介して各レール２に取り付けるので、各設置面に多数のモニター及び／又はこれに関連する各種の機器の設置、増設及びその設置後のレイアウトの変更を極めて簡易に行うことができる。また、このシステムレールユニット１１では、各種の取付ブラケット４、ユニバーサルジョイント６、支持アーム７などの付帯部品を必要に応じて選択的に使用することで、モニター他各種の機器を実用上最適な向きや位置に取り付けることができる。
【００２８】
なお、上記各実施の形態では、取付ベース２の上側部に固定爪３１５が突設され、下側部に可動爪３１６が出没可能に配設されているが、取付ベースの上側部に可動爪が出没可能に配設され、下側部に固定爪が突設されてもよく、また、操作レバー３５は取付ベース２の上側部側から外部に突出されているが、操作レバーは取付ベースの左側端部若しくは右側端部又は下側部から突出されてもよいことは勿論である。したがって、取付ベースは全体がケース状に構成されて、固定爪は取付ベースの下面に一体的に形成され、可動爪は、取付ベースの上面に開口及びその内側に取付ベースの下面に向けて延びる一対の摺動ガイドが形成されて、当該摺動ガイドに摺動可能に形成され設置される可動部材の開口側の端部に形成され、可動部材は常態として取付ベースの内部に可動部材に近接して設置されるばね部材により、取付ベースの内部に向けて押圧付勢されて、可動爪と共に取付ベースの上面に没入されるようにしてもよく、この場合に、操作レバーはその中間部が取付ベースの内部で下面側に軸支されて、操作レバーの一端側はケースの外部に回動可能に突出されるとともに、操作レバーの取付ベースの内部の他端と可動爪との間に駆動レバーが操作レバーの所定方向の回動により可動部材に向けて延び、可動部材を押圧可能にリンク結合されることになる。
【００２９】
さらに、図１４乃至図１７にこのシステムレール１に併せて使用する支持アームを示している。図１４及び図１５に示すように、支持アーム８は、アーム本体８０と、アーム本体８０の先端にユニバーサルジョイント８１を介して取り付けられる取付プレート８２とを備え、取付部材８３を介して、机、テーブル、台などの設置面に取り付けられる。
【００３０】
図１４及び図１５に示すように、アーム本体８０は、システムレール１の支持アーム７と共通の部品からなり、複数のアーム７１、７２を備え、各アーム７１、７２がヒンジ装置７３を介して相互に水平方向（左右方向）に回動可能にかつ各アーム７１、７２間が任意の回動角度に保持可能に連結される。そして、基端側のアーム７１に、アーム７１、７２全体を取付部材８３をなす支柱８３２に支持固定するための取付ブラケット８３１が設けられ、先端側のアーム７２に、取付プレート８２又はユニバーサルジョイント８１の平板形状部６４を取り付けるための台座プレート７５が設けられる。複数のアーム７１、７２は基端側のショートアーム７１と先端側のロングアーム７２とからなる。この場合、ショートアーム７１はアルミニウム合金により形成され、所定の長さを有する中央のブロック７１１と、中央のブロック７１１の前部の上部及び下部、並びに後部の上部及び後部にそれぞれ円形に突出され、その外側面に円形の溝７１２が形成されてその中心にシャフト挿通穴７１３を穿設されてなる前側の一対の軸受７１４Ｆ及び後側の一対の軸受７１４Ｒとを具備する。ロングアーム７２はアルミニウム合金により形成され、ショートアーム７１の一対の軸受７１４Ｆ間に配置可能なショートアーム７１よりも長い所定の長さを有する中央のブロック７２１と、中央のブロック７２１の前部の上部及び下部に前方向に円形に突出され、その外側面に円形の溝７２２が形成されてその中心にシャフト挿通穴７２３を穿設されてなる前側の一対の軸受７２４、及び後部に円筒状に突出されてなる上下方向にシャフト挿通部７２５を有する後側の軸受７２６とを具備する。ショートアーム７１の前側の一対の軸受７１４Ｆ間にロングアーム７２の後側の軸受７２６が一対の軸受７１４Ｆと軸受７２６との間にそれぞれワッシャ７２７を介して配置され、一対の軸受７１４Ｆの各シャフト挿通穴７１３と軸受７２６のシャフト挿通部７２５との間にロングシャフト７２８が挿通される。このロングシャフト７２８はロングアーム７１の一対の軸受７１４Ｆ間を挿通可能なシャフトからなり、その上下両端部にボルト７２９のためのねじ穴７３０が設けられる。そして、このロングシャフト７２８の上部及び下部にワッシャ７２７、皿ばね座金７３１及びワッシャ７３２、７３３が通されて一対の軸受７１４Ｆの溝７１２内に配置された後、ロングシャフト７２８の上端部及び下端部の各ねじ穴７３０にボルト７２９が締め込まれる。なお、これらの溝７１２はホールプラグ７３４が嵌着されて塞がれる。ショートアーム７１とロングアーム７２はかかるヒンジ装置７３により相互に水平方向（左右方向）に回動可能にかつ各アーム７１、７２間が任意の回動角度に保持可能に連結される。取付ブラケット８３１はアルミニウム合金により形成され、支柱８３２の取付面に取り付け可能な平板８４１と、この平板８４１の一方の端部に前方に向けて円筒状に突出する上下方向にシャフト挿通部８４２を有する軸受８４３とを具備し、この場合、平板８４１の他端側の中央にねじ部挿通穴８４４、その上下にそれぞれねじ挿通穴８４５が設けられる。この取付ブラケット８３１は軸受８４３がショートアーム７１の後側の一対の軸受７１４Ｒ間に軸受７４３と一対の軸受７１４Ｒとの間にそれぞれワッシャ７２７を介して配置され、一対の軸受７１４Ｒの各シャフト挿通穴７１３と軸受８４３のシャフト挿通部８４２との間にロングシャフト７２８が挿通される。このロングシャフト７２８は既述のロングシャフト７２８と共通である。そして、このロングシャフト７２８の上部及び下部に、既述のとおり、ワッシャ７２７、皿ばね座金７３１、及びワッシャ７３２、７３３が通されて一対の軸受７１４Ｒの溝７１２内に配置された後、ロングシャフト７２８の上端部及び下端部の各ねじ穴７３０にボルト７２９が締め込まれる。なお、これらの溝７１２はホールプラグ７３４が嵌着されて塞がれる。ショートアーム７１と取付ブラケット８４３はかかるヒンジ装置７３によりショートアーム７１が支柱８３２に対して水平方向（左右方向）に回動可能にかつ任意の回動角度に保持可能に連結される。台座プレート７５は、ロングアーム７２の一対の軸受７２４間に嵌合可能な平板状の台座本体７５１と、この台座本体７５１の一方の平面の左右方向中央に後方に向けて円筒状に突出する上下方向にシャフト挿通部７５２を有する軸受７５３とを具備する。この台座プレート７５は、ショートアーム７１の軸受７１４Ｆ、７１４Ｒと同様に、軸受７５３がロングアーム７２の前側の一対の軸受７２４間に軸受７５３と一対の軸受７２４との間にそれぞれワッシャ（７２７）を介して配置され、一対の軸受７２４の各シャフト挿通穴７２３と軸受７５３のシャフト挿通部７５２との間にショートシャフト７５４が挿通される。このショートシャフト７５４はロングアーム７２の一対の軸受７２４間を挿通可能なシャフトからなり、その上下両端部にボルト７５５のためのねじ穴（７５６）が設けられる。そして、このショートシャフト７５４の上部及び下部にワッシャ（７２７）、皿ばね座金（７３１）及びワッシャ（７３２、７３３）が通されて一対の軸受７２４の溝７２２内に配置された後、ショートシャフト７５４の上端部及び下端部の各ねじ穴（７５６）にボルト７５５が締め込まれる。なお、これらの溝７２２はホールプラグ７３４が嵌着されて塞がれる。ロングアーム７２と台座プレート７５はかかるヒンジ装置７３により台座プレート７５がロングアーム７２に対して水平方向（左右方向）に回動可能にかつ任意の回動角度に保持可能に連結される。
【００３１】
図１５に示すように、取付プレート８２はシステムレール１の取付プレート５と共通の部品で、アルミダイカストにより四角形（この場合、正方形）の平板状に形成される。この取付プレート８２には、平面の中心に円形の穴５０が形成されて、背面側に穴５０を中心にして略円環状の環状形状部５１が形成され、また、この環状形状部５１の背面側の開口周縁部にねじ穴５２が設けられる。この環状形状部５１の内周面５３は所定の断面円弧状に形成される。この取付プレート５の背面側の環状形状部５１はユニバーサルジョイント８１の一部をなす。ユニバーサルジョイント８１はシステムレール１のユニバーサルジョイント６と共通の部品で、取付プレート８２の背面側に穴５０を中心にして略環状に形成される前側の環状形状部５１及びこの前側の環状形状部５１に連続的に結合される略環状の後側の環状形状部６１からなり、前側及び後側の各環状形状部５１、６１の内周面５３、６２が相互に連続する断面円弧状に形成される第１の継手６０１と、台座プレート７５の正面に接合可能な略平板状に形成され、中心にねじ穴付きのボス６３を有する平板形状部６４、平板形状部６４の正面周囲に第１の継手６０１の内周面５３、６２内に挿通可能に突設され、それぞれの外側面に第１の継手６０１の内周面５３、６２に係合可能な断面円弧状の摺動部６５を有し、それぞれの内側面に先端から平板形状部６４に向けて全体として漸次縮径されるテーパ面を形成するための傾斜面６６を有する複数の突状形状部６７、及び複数の突状形状部６７の傾斜面６６の先端側の内径と略同形の略円形状に形成され、中心にねじ穴６８を形成されて、各突状形状部６７の傾斜面６６上に配置されるとともに、中心のねじ穴６８からボルト６８１が通され平板形状部６４のボス６３に螺合されて、ボルト６８１の締め込みとともに各突状形状部６７間に圧入可能に組み付けられる円形形状部６９からなる第２の継手６０２とを備えて構成される。この場合、第１の継手６０１をなす前側及び後側の各環状形状部５１、６１はそれぞれアルミニウム合金により円環状に形成され、前側の環状形状部５１の背面側開口周縁部にねじ穴５２を有し、後側の環状形状部６１の開口周縁部にねじ挿通穴６２０が貫通形成されて、前側の環状形状部５１に後側の環状形状部６１がねじ６２１により締結されて固定される。また、前側及び後側の各環状形状部５１、６１の内周面５３、６２は球体を回転可能に保持可能な一体的な断面円弧状に形成され、球面状をなす。第２の軸受６０２をなす平板形状部６４及び複数の突状形状部６７はアルミニウム合金により一体に形成され、平板形状部６４は後側の環状形状部６１の背面側の開口よりも少し小さい円板状に形成され、各突状形状部６７は平板形状部６４の正面の周囲に沿って等間隔に所定の長さの支柱状に形成され、各突状形状部６７の外側面に断面略コ字形の摺動部取付部６７１が形成される。これらの摺動部取付部６７１にはそれぞれ両側部間の凹部中央の面に凸段部６７２が両側部よりも低い高さに形成される。摺動部６５はポリアセタールからなる小チップで、各突状形状部６７の各摺動部取付部６７１の凹部内に嵌合可能な断面略コ字形にかつ外側面が第１の継手６０１の内周面（球面）５３、６２に係合可能な断面円弧状に、すなわち球面状に形成される。また、円形形状部６９はアルミニウム合金により円形にかつ傘状に形成され、その中心に円筒部６９０が形成されて、円筒部６９０にねじ穴（６８）が設けられる。このようにして各突状形状部６７の各摺動部取付部６７１の凹部内に摺動部６５が嵌め込まれ、各突状形状部６７の傾斜面６６上に円形形状部６９が配置されるとともに、円形形状部６９中心のねじ穴６８からボルト６８１（この場合、ヘッドに六角溝を有するボルト）が通され平板形状部６４のボス６３に螺合されて、このボルト６８１の締め込みとともに円形形状部６９が各突状形状部６７間に圧入可能に組み付けられる。そして、第１の継手６０１の各環状形状部５１、６１間に第２の継手６０２が組み込まれ、各環状形状部５１、６１がねじ６２１で締め付け固定されることにより、取付プレート５側の第１の継手６０１が台座プレート７５側の第２の継手６０２の摺動部６５の回りに傾動可能にかつ回転可能に連結される。この場合、取付プレート５中心の穴５０から工具（この場合、六角レンチ）を差し込み、ボルト６８１を締め込むと、円形形状部６９は各突状形状部６７間に圧入され、各突状形状部６７が外周方向に押圧されるので、各突状形状部６７の摺動部６５が第１の継手６０１の内周面５３、６２に圧接されて、第１の継手６０１が第２の継手６０２に対して傾きにくく、回りにくくなり、反対に、ボルト６８１を緩めると、円形形状部６９は各突状形状部６７間を圧入方向とは反対方向に移動され、各突状形状部６７の外周方向への押圧が解除されるので、各突状形状部６７の摺動部６５の第１の継手６０１の内周面５３、６２に対する圧接状態が緩められて、第１の継手６０１が第２の継手６０２に対して傾きやすく、回りやすく調整される。
【００３２】
このようにして支持アーム８は構成され、オフィス、学校、家庭などの屋内空間の壁面、天井、デスク、テーブルなど、モニター及び／又はこれに関連する各種の機器を設置するための設置面に、支持アーム８を固定し、この支持アーム８の先端の取付プレート８２にモニター及び／又はこれに関連する各種の機器を取り付ける。
【００３３】
この場合、支持アーム８は取付部材８３として支柱８３２を用いて設置面に固定される。この支柱８３２は、図８に示す支柱４２と共通のもので、図８を用いて説明すると、一つの面に上下方向に伸びる所定幅の切欠部４２０を有する中空の柱材からなる支柱本体４２１と、支柱本体４２１の下部に固着される四角形の平板状の支柱台座４４とからなる。支柱４２には、支柱本体４２１の切欠部４２０に支柱カバー４３１が装着される。支柱カバー４３１は、支柱本体４２１の切欠部４２０を覆う細長い帯状のカバーと、カバーの裏面に切欠部４２０に挿通可能に突出され、切欠部４２０の左右両側のエッジに内側から係止可能な一対の係止爪とからなり、カバーの裏面と各係止爪とにより切欠部４２０の左右両側の各エッジを挟持して、切欠部４２０上に固定される。さらに、支柱４２には、支柱本体４２１の頂部にトップカバー４３２が装着される。トップカバー４３２は、支柱本体４２の頂部と略同形の平板状のカバーと、カバーの裏面に支柱本体４２１の内部に形成された断面Ｃ字形又はＯ字形の複数のピン挿通部に係合可能な複数のピンとからなり、各ピンが各ピン挿通部に差し込み係合されて、頂部上に固定される。また、支柱台座４４は上面四隅にボルト挿通部４４１が凹状に形成され、支柱台座４４を設置面に固定するためのボルトが挿通されるようになっている。このようにして支柱４２は支柱台座４４が机、テーブル、台などの設置面にボルト、ナットにより締結固定されて取り付けられる。なお、支柱台座４４の各ボルト挿通部４４１にはボルト隠し用のキャップ４４２が装着される。
また、支柱８３２は、図９に示す支柱と共通のもので、図９を用いて説明すると、支柱台座４４の下部にクランプ部材４６を備えたものでもよい。このクランプ部材４６は、略コ字形のアングル材４６１と、アングル材４６１の下部に形成されたねじ穴に通される頂部に押えプレート４６２を有する雄ねじ部材４６３とからなり、アングル材４６１の上面が支柱台座４４の下面にボルト及びナットにより接合されて、支柱４２に一体的に付設される。なお、この場合も、支柱４２は図８の支柱４２と同様の構成を備えており、支柱４２の各部に図８と同様の符号を付してある。このようにして支柱４２は机、テーブル、台などの設置面に、クランプ部材４６により、すなわちアングル材４６１と雄ねじ部材４６３の締め込みによる押えプレート４６２とにより挟持固定されて取り付けられる。
そして、支持アーム８は取付ブラケット８３１を支柱８３２にクランプレバーを用いて取り付けられる。この場合、図１５に示すように、支持アーム８の取付ブラケット８３１の他方の端部とインナーナット４５０が取付ブラケット８３１の上下の各ねじ挿通穴８４５からねじ８４６が挿通され、インナーナット４５０側の各ねじ穴に締め込まれて組み付けられ、インナーナット４５０が支柱本体の切欠部４２０の内側所定の位置に配置され、取付ブラケット８３１の突出端が支柱本体の切欠部４２０上所定の位置に配置されて、これらインナーナット４５０と取付ブラケット８３１が支柱本体の切欠部４２０の両側を挟み込んだ状態で、クランプレバー４５１のねじ部を取付ブラケット４１のねじ部挿通穴８４４に通し、インナーナット４５０側のねじ穴に係合させて、クランプレバー４５１のレバーを回すことにより、取付ブラケット８３１の突出端とインナーナット４５０が締め付けられて、支持アーム８が支柱８３２に固定される。なお、この取付作業は支柱８３２に支柱カバー（４３１）やトップカバー（４３２）が装着されていない状態で行われる。
【００３４】
図１６、図１７に支持アーム８を机、テーブル、台などの上に設置して、この支持アーム８にモニター及び／又はこれに関連する各種の機器を支持固定する場合を例示している。なお、ここでは、２台分のモニターを取り付け可能に２本の支持アーム８を使用する。この場合、２本の支持アーム８を取付部材８３（取付ブラケット８３１及び支柱８３２）により設置面に固定し、モニター及び／又はこれに関連する各種の機器を支持アーム先端の取付プレート８２に固定する。
このようにしてモニター及び／又はこれに関連する各種の機器が各支持アームに取り付けられ、各支持アーム８により、モニター他各種の機器を、図１６に示すように、支柱８３２の正面に並列に配置したり、また、支柱の正面から前後方向や左右方向に移動して位置を調整したり、支柱８３２の正面に押し戻したりすることができる。また、図１７に示すように、各支持アーム８を支柱８３２の左右方向に延ばして、モニター他各種の機器を相互に反対方向に向けたりすることもできる。さらに、この支持アーム８のユニバーサルジョイント８１の機能により、モニター他各種の機器を上下左右方向任意の向きに角度調整することができ、この支持アーム８をユニバーサルジョイント８１と併せて用いれば、モニター他各種の機器の向きや位置を多様に変化させることができる。
【００３５】
さらに、この支持アーム８を天井又は壁面に天井用又は壁面用の取付部材を介して取り付けることもでき、モニター及び／又はこれに関連する各種の機器をこの支持アーム８を介して天井や壁面に設置して、上記と同様に使用することができる。
【００３６】
以上説明したように、支持アーム８を併せて使用し、アーム本体８０をモニター及び／又はこれに関連する各種の機器を設置するための設置面に固定して、アーム本体８０の先端にユニバーサルジョイント８１を介して連結された取付プレート８２に複数のモニター他各種の機器を固定して取り付けるので、支持アーム８の多方向への伸縮機能と、ユニバーサルジョイント８１の多方向への角度調整機能とにより、モニター他各種の機器を向きや位置を多様に変化させて設置することができ、複数のモニター他各種の機器を設置空間にさらに多様なレイアウトにより設置することができる。
【符号の説明】
【００３７】
１  システムレール
１１  システムレールユニット
２  レール
２１  レール本体
２１１  凹部
２１２  ねじ穴
２１３  係止部
２１４  溝
２１５  係止部
２１６  溝
２１７  係止部
２１８  溝
２１９  係止部
２２０  溝
２２  レールカバー
２２１  開口
２２２  係止部
２２３  係止部
２３  レールカバー
３  取付ベース
３１  ベース本体
３１０  開口
３１１  スリット
３１２  開口
３１３  摺動ガイド
３１４  ねじ穴付きのボス
３１５  固定爪
３１６  可動爪
３２  バックプレート
３２０  ねじ挿通穴
３２１  ねじ
３３  可動部材
３３Ｕ  上部体
３３Ｄ  下部体
３３１  円筒部
３３２  軸挿通部
３３３  連結片
３３４  コイルスプリング
３３５  突起
３３６  ねじ挿通部
３３７  軸
３３８  ねじ穴
３３９  ねじ
３４０  コイルスプリング
３４  ストッパー
３５  操作レバー
３５０  軸挿通部
３５１  軸
３６  駆動レバー
３６１  軸
３７  ストッパー
４  取付部材
４１  取付ブラケット
４１１  固定部
４１２  係止部
４１３  係止部
４１４  ボルト
４１５  ねじ穴
４１６  支持部
４１７  ねじ部挿通穴
４１８  ねじ挿通穴
４２  支柱
４２０  切欠部
４２１  支柱本体
４２２  支柱台座
４２３  ボルト挿通部
４３  支柱カバー
４４  トップカバー
４５  クランプ部材
４５０  インナーナット
４５１  アングル材
４５２  押えプレート
４５３  雄ねじ部材
４５４  ねじ穴
４６  ねじ
４７  クランプレバー
４７１  ねじ部
５  取付プレート
５０  穴
５１  環状形状部
５２  ねじ穴
５３  内周面
５４  ねじ
６  ユニバーサルジョイント
６０１  第１の継手
６０２  第２の継手
６１  環状形状部
６２  内周面
６２０  ねじ挿通穴
６２１  ねじ
６３  ねじ穴付きのボス
６４  平板形状部
６５  摺動部
６６  傾斜面
６７  突状形状部
６７１  摺動部取付部
６７２  凸段部
６８  ねじ穴
６８１  ボルト
６９  円形形状部
６９０  円筒部
７  支持アーム
７１  アーム（ショートアーム）
７１１  中央のブロック
７１２  溝
７１３  シャフト挿通穴
７１４Ｆ  軸受
７１４Ｒ  軸受
７２  アーム（ロングアーム）
７２１  中央のブロック
７２２  溝
７２３  シャフト挿通穴
７２４  軸受
７２５  シャフト挿通部
７２６  軸受
７２７  ワッシャ
７２８  ロングシャフト
７２９  ボルト
７３０  ねじ穴
７３１  皿ばね座金
７３２  ワッシャ
７３３  ワッシャ
７３４  ホールプラグ
７３  ヒンジ装置
７４  アタッチメント
７４１  取付板
７４２  シャフト挿通部
７４３  軸受
７５  台座プレート
７５１  台座本体
７５２  シャフト挿通部
７５３  軸受
７５４  ショートシャフト
７５５  ボルト
７５６  ねじ穴
８  支持アーム
８０  アーム本体
８１  ユニバーサルジョイント
８２  取付プレート
８３  取付部材
８３１  取付ブラケット
８３２  支柱
８４１  平板
８４２  シャフト挿通部
８４３  軸受
８４４  ねじ部挿通穴
８４５  ねじ挿通穴
８４６  ねじ
【図１】
0005193264.tif 000002
【図２】
0005193264.tif 000003
【図３】
0005193264.tif 000004
【図４】
0005193264.tif 000005
【図５】
0005193264.tif 000006
【図６】
0005193264.tif 000007
【図７】
0005193264.tif 000008
【図８】
0005193264.tif 000009
【図９】
0005193264.tif 000010
【図１０】
0005193264.tif 000011
【図１１】
0005193264.tif 000012
【図１２】
0005193264.tif 000013
【図１３】
0005193264.tif 000014
【図１４】
0005193264.tif 000015
【図１５】
0005193264.tif 000016
【図１６】
0005193264.tif 000017
【図１７】
0005193264.tif 000018